(57)【特許請求の範囲】
【請求項１】
互いに異なる温度で保温可能な上下の収納室内に設けられた商品ラックに収納され、販売時に当該商品ラックの払出口から払い出された商品を取出口側に搬出する商品搬出装置であって、前記商品ラックの前記払出口側に隣接し、上下方向に延びる搬出通路と、この搬出通路内に昇降自在に設けられ、販売時に、前記商品ラックから払い出された商品を受け取って前記取出口に搬出するために、前記取出口側と販売すべき商品を収納する前記商品ラックの付近との間で往復動する搬出機構と、前記搬出通路の前記上下の収納室間の境界部に設けられ、前記搬出機構が通過可能な仕切板装着部と、この仕切板装着部に装着され、前記上下の収納室を仕切るとともに、前記仕切板装着部を越える前記搬出機構の往復動に伴い、当該搬出機構により開閉可能な断熱性の開閉仕切板と、を備え、前記開閉仕切板は、前記仕切板装着部に着脱自在に装着され、当該仕切板装着部を越える前記搬出機構の往復動に伴い脱着可能で、かつ離脱時に当該搬出機構に連結された状態で当該搬出機構とともに移動可能な可動仕切板で構成されていることを特徴とする、自動販売機の商品搬出装置。
【請求項２】
前記可動仕切板は、前記搬出通路の奥行寸法が前記仕切板装着部への装着時よりも小さな状態で、前記搬出機構に連結されるように構成されていることを特徴とする、請求項１に記載の自動販売機の商品搬出装置。
【請求項３】
前記可動仕切板は、前記搬出通路の奥行方向に配置され、ヒンジを介して互いに折曲げ自在に連結され、前記仕切板装着部に拡開された状態で装着されるとともに、折れ曲がった状態で前記搬出機構に連結される２枚の仕切板部で構成されていることを特徴とする、請求項２に記載の自動販売機の商品搬出装置。
【請求項４】
前記可動仕切板は、前記２枚の仕切板部の両側部に設けられたガイド突起と、前記２枚の仕切板部に前記ヒンジを間にして互いに対向するように設けられた一対の連結部を有し、前記搬出機構は、上下方向の一端に前記可動仕切板の前記一対の連結部の間に係合することにより前記可動仕切板を連結する連結部を有し、前記仕切板装着部は、前記搬出通路の両側部に設けられた一対の仕切板装着部材で構成され、これら一対の仕切板装着部材の各内側面には、前記可動仕切板の前記ガイド突起が係合するとともに、前記２枚の仕切板部が折れ曲がりおよび拡開しながら前記可動仕切板が前記仕切板装着部材に脱着されるように前記ガイド突起を案内する斜めのガイド溝が形成されていることを特徴とする、請求項３に記載の自動販売機の商品搬出装置。
【発明の詳細な説明】
【０００１】
【発明の属する技術分野】
本発明は、互いに異なる温度で保温可能な上下の収納室内に設けられた商品ラックに収納され、販売時に商品ラックの払出口から払い出された商品を取出口側に搬出する、自動販売機の商品搬出装置に関する。
【０００２】
【従来の技術】
従来のこの種の自動販売機の商品搬出装置として、上下の収納室を断熱状態で仕切る仕切板の一部をスライド自在の可動板で構成するとともに、この可動板を駆動するモータを設け、仕切板を開閉自在に構成したものが知られている。この商品搬出装置では、エレベータなどの搬出機構が、下側の取出口と仕切板の付近との間で昇降するように設けられている。上側の収納室の商品ラックから商品を販売する場合には、まず、搬出機構が仕切板の付近に上昇して停止し、これと前後してモータが作動することにより可動板が開く。次いで、商品ラックから払い出された商品が搬出機構上に落下して、受け渡された後、搬出機構が取出口まで下降して商品を搬出するとともに、これと前後してモータが作動し、可動板が閉じられるようになっている。これにより、上下の収納室の商品ラックから払い出された商品を共通の搬出機構で搬出するとともに、販売時のみ可動板を開くことによって、収納室間の熱漏れ量を極力少なくするようにしている。
【０００３】
【発明が解決しようとする課題】
しかし、この従来の商品搬出装置では、可動板を駆動するためのモータなどの駆動源を設け、これを制御しなければならず、その分のコストが増大するとともに、設置スペースを確保することが必要になる。また、収納室間の熱漏れ量を極力少なくするためには、搬出機構の搬出動作や商品ラックの払出動作に応じた適切なタイミングで可動板を開閉することが必要であり、このタイミングの調整が煩雑であるとともに、タイミングを計るための手段、例えば搬出機構の位置検出手段などを設けなければならず、コストがさらに増大してしまう。さらに、商品ラックから払い出された商品が搬出機構上に落下するため、そのときの衝撃で、商品の変形やフォーミングなどの不具合が生じるおそれがある。
【０００４】
本発明は、このような課題を解決するためになされたものであり、コストと設置スペースを削減でき、仕切板の開閉に伴う収納室間の熱漏れ量を最小限に抑制できるとともに、商品の変形やフォーミングを防止することができる自動販売機の商品搬出装置を提供することを目的とする。
【０００５】
この目的を達成するため、本発明は、互いに異なる温度で保温可能な上下の収納室内に設けられた商品ラックに収納され、販売時に商品ラックの払出口から払い出された商品を取出口側に搬出する商品搬出装置であって、商品ラックの払出口側に隣接し、上下方向に延びる搬出通路と、この搬出通路内に昇降自在に設けられ、販売時に、商品ラックから払い出された商品を受け取って取出口に搬出するために、取出口側と販売すべき商品を収納する商品ラックの付近との間で往復動する搬出機構と、搬出通路の上下の収納室間の境界部に設けられ、搬出機構が通過可能な仕切板装着部と、この仕切板装着部に装着され、上下の収納室を仕切るとともに、仕切板装着部を越える搬出機構の往復動に伴い、搬出機構により開閉可能な断熱性の開閉仕切板と、を備えていることを特徴とする。
【０００６】
この自動販売機の商品搬出装置によれば、販売待機時には、仕切板装着部に装着された開閉仕切板が閉じていて、上下の収納室を仕切った状態になっている。販売時には、搬出機構が、取出口側と販売すべき商品を収納する商品ラックの付近との間で搬出通路に沿って上下方向に往動し、商品ラックから払い出された商品を受け取った後、取出口側に復動して商品を取出口に搬出する。この場合において、取出口と反対側の収納室の商品ラックから商品を販売するときには、搬出機構は、仕切板装着部を越えて往復動し、往動時、仕切板装着部を通過する際に開閉仕切板を開くとともに、商品ラックから商品を受け取った後の復動時、仕切板装着部を通過する際に開閉仕切板を閉じる。
【０００７】
このように、本発明の商品搬出装置によれば、搬出機構が仕切板装着部を越えて往復動するのに伴い、搬出機構が直接、開閉仕切板を開閉する。したがって、開閉仕切板を開閉駆動するための別個の駆動源が不要となることによって、そのためのコストおよび設置スペースを削減できる。また、搬出機構が直接、開閉仕切板を開閉することは、開閉仕切板を常に最適なタイミングで開閉できることを意味するので、その開閉に伴う収納室間の熱漏れ量を最小限に抑制できるとともに、開閉タイミングの調整やこれを計るための手段も不要になり、さらにコスト減を図ることができる。さらに、販売すべき商品を収納する商品ラックの位置にかかわらず、搬出機構がその商品ラックの付近まで移動して商品を受け取るので、従来のような商品の落下による変形やフォーミングを確実に防止することができる。
【０００８】
この場合、開閉仕切板は、仕切板装着部に着脱自在に装着され、仕切板装着部を越える搬出機構の往復動に伴い脱着可能で、かつ離脱時に搬出機構に連結された状態で搬出機構とともに移動可能な可動仕切板で構成されている。
【０００９】
この構成では、可動仕切板は、搬出機構が仕切板装着部を越えて往動するのに伴い、搬出機構によって仕切板装着部から離脱させられるとともに、搬出機構に連結された状態で、これと一緒に移動する。このように、可動仕切板が、仕切板装着部付近に留まらずに搬出機構と一緒に移動するので、この付近の商品ラックからの払出の邪魔になることがなくなり、商品ラックを、デッドスペースを生じることなく効率的に配置することができる。また、可動仕切板は、搬出機構が復動するのに伴い、搬出機構によって仕切板装着部に装着され、閉じられる。
【００１０】
またこの場合、可動仕切板は、搬出通路の奥行寸法が仕切板装着部への装着時よりも小さな状態で、搬出機構に連結されるように構成されていることが好ましい。
【００１１】
この構成によれば、可動仕切板が、搬出通路の奥行方向に見て、装着時よりも小さな寸法で搬出機構に連結され、その状態で搬出機構と一緒に搬出通路内を移動するので、搬出通路の奥行寸法をより小さくすることが可能になり、ひいては自動販売機のコンパクト化を図ることができる。
【００１２】
さらにこの場合、可動仕切板は、搬出通路の奥行方向に配置され、ヒンジを介して互いに折曲げ自在に連結され、仕切板装着部に拡開された状態で装着されるとともに、折れ曲がった状態で搬出機構に連結される２枚の仕切板部で構成されていることが好ましい。
【００１３】
この構成では、搬出通路の奥行方向に互いに折曲げ自在の２枚の仕切板部が、仕切板装着部への装着時には、拡開された状態となり、仕切板装着部からの離脱時には、折れ曲がった状態で、すなわち搬出通路の奥行寸法がより小さな状態で、搬出機構に連結される。このように、この発明によれば、請求項３に係る商品搬出装置を、比較的単純な構成で実現することができる。
【００１４】
またこの場合、可動仕切板は、２枚の仕切板部の両側部に設けられたガイド突起と、２枚の仕切板部にヒンジを間にして互いに対向するように設けられた一対の連結部を有し、搬出機構は、上下方向の一端に可動仕切板の一対の連結部の間に係合することにより可動仕切板を連結する連結部を有し、仕切板装着部は、搬出通路の両側部に設けられた一対の仕切板装着部材で構成され、これら一対の仕切板装着部材の各内側面には、可動仕切板のガイド突起が係合するとともに、２枚の仕切板部が折れ曲がりおよび拡開しながら可動仕切板が仕切板装着部材に脱着されるようにガイド突起を案内する斜めのガイド溝が形成されていることが好ましい。
【００１５】
この構成では、可動仕切板は、販売待機時には、２枚の仕切板部に設けられたガイド突起が、搬出通路の両側部に設けた一対の仕切板装着部材の斜めのガイド溝に係合し、拡開した状態で、仕切板装着部材に装着され、閉じられている。この状態から、搬出機構が往動時に仕切板装着部材を通過する際、可動仕切板は、その一対の連結部の間に搬出機構の連結部が係合することによって、搬出機構に連結される。そして、搬出機構がさらに往動するのに伴い、可動仕切板は、そのガイド突起が仕切板装着部材のガイド溝に沿って案内されることで、次第に折れ曲がりながら、仕切板装着部材から離脱し、折れ曲がった状態で搬出機構と一緒に移動する。また、可動仕切板は、搬出機構が復動時に仕切板装着部材を通過する際に、ガイド突起がガイド溝に係合し、これに沿って案内されることで、次第に拡開しながら、仕切板装着部材に装着され、もとの閉状態に復帰する。このように、この発明によれば、請求項４に係る商品搬出装置を、比較的単純な構成で実現することができる。
【００１６】
【発明の実施の形態】
以下、図面を参照しながら、本発明の実施形態を詳細に説明する。図１〜図３は、本発明の商品搬出装置を備えた自動販売機を示している。この自動販売機１は、缶飲料やパック飲料などを販売するものであり、同図に示すように、ボックス状の販売機本体２と、その前面を開閉するメインドア３を備えている。メインドア３の前面には透明パネル４が組み込まれており、また、その後方には透明断熱扉６が設けられている。つまり、自動販売機１は、これらの透明パネル４および透明断熱扉６などを通して、正面から販売機本体２内の商品Ｓやその販売状況を見ることができる、いわゆるシースルータイプのものである。
【００１７】
また、メインドア３の前面には、図示しないが、コイン投入口、投入したコインの金額を表示する金額表示部、コインを返却するための返却レバー、返却されたコインを取り出すためのコイン返却口、および商品を選択するための選択ボタンなどが設けられている。さらに、メインドア３の下部には、購入者が商品を取り出すための取出口５が設けられている。
【００１８】
販売機本体２内には、前面の透明断熱扉６と断熱材を内蔵した周壁７とによって、商品収納庫８が画成されており、この商品収納庫８は、中央よりも若干上側の位置に設けられた断熱性を有する仕切板９によって、上側の加温室１０と下側の冷却室１１（上下の収納室）に仕切られている。
【００１９】
加温室１０および冷却室１１には、それぞれ上下方向に３段および４段で、各段に左右方向に８列ずつ（図示せず）、多数の商品ラック１２が並設されている。商品ラック１２は、商品収納庫８の前端部を残して、前後方向に延びるように配置されており、商品収納庫８の前端部すなわち透明断熱扉６と商品ラック１２の前端との間は、上下方向に連続的に延びるエレベータ通路１３（搬出通路）になっている。
【００２０】
各商品ラック１２は、上側が開口した断面コ字状に形成されており、同一銘柄の商品が縦置きされた状態で、前後方向に並んで収納される。また、各商品ラック１２には、収納した商品全体を前方に押圧するプッシャ（図示せず）と、前端の払出口１４を開閉するストッパ１５とが設けられており、販売時にこのストッパ１５が開くことによって、最前位置の商品が商品ラック１２の払出口１４から前方に払い出されるようになっている。また、払い出された商品は、後述するエレベータ２８によって、取出口５に搬出される。
【００２１】
加温室１０には、図示しないヒータが設けられており、このヒータにより、加温室１０内の商品ラック１２に収納された商品が加温される。一方、冷却室１１にはエバポレータおよびエバポレータファン（ともに図示せず）が、商品収納庫８の下方、すなわち販売機本体２内の下部には、コンデンサ１６、コンデンサファン１７およびコンプレッサ１８などが、それぞれ設けられていて、これらから構成される冷却装置によって、冷却室１１内の商品ラック１２に収納された商品が冷却される。
【００２２】
加温室１０と冷却室１１を仕切る前記仕切板９は、商品収納庫８のエレベータ通路１３を除く部分に配置された断熱性の固定仕切板１９と、この固定仕切板１９の前側に連なり、エレベータ通路１３に着脱自在に設けられた断熱性の可動仕切板２０によって構成されている。
【００２３】
この可動仕切板２０は、図４および図５に示すように、ヒンジ２１を介して互いに回動自在に連結された、前側の大きな仕切板部２０ａおよび後ろ側の小さな仕切板部２０ｂによって構成されている。両仕切板部２０ａ、２０ｂの左右方向の側部には、それらの前端部および後端部に位置して、短円柱状の前後のガイド突起２２、２２が設けられている（右側部のもののみ図示）。また、両仕切板部２０ａ、２０ｂの下面の左右２個所には、ヒンジ２１を間にして互いに対向する前後一対の連結部２３ａ、２３ｂから成る連結具２３、２３が取り付けられており（１個のみ図示）、連結部２３ａ、２３ｂのヒンジ２１側の端面は、円弧状の係合摺動面２４ａ、２４ｂになっている。
【００２４】
エレベータ通路１３の左右方向の両側部には、固定仕切板１９の前側の位置に、可動仕切板２０を着脱自在に装着するための一対の仕切板装着部材２５、２５が取り付けられている（図４などに一方のみ図示）。各仕切板装着部材２５の内側面には、可動仕切板２０のガイド突起２２、２２を係合させ、これを案内するガイド溝２６が形成されている。このガイド溝２６は、下前端部の水平な装着部２６ａに連なり、後方に向かって斜めに延び、上方に開放する前ガイド溝部２６ｂと、下後端部の水平な装着部２６ｃに連なり、前方に向かって斜めに延び、上方に開放する後ガイド溝部２６ｄと、によって構成されている。
【００２５】
一方、商品を搬出するための前記エレベータ２８（搬出機構）は、エレベータ通路１３に昇降自在に設けられており、チェーン機構などを含むＹ方向駆動機構２９によって駆動される。エレベータ２８は、一対の仕切板装着部材２５、２５の間を通過可能な横断面寸法を有するとともに、背面が開放している。また、エレベータ２８の内部には、払い出された商品を受け取るための、背面が開放したバケット（図示せず）が、左右方向に移動自在に収容されているとともに、このバケットを販売時に駆動するＸ方向駆動機構（図示せず）が設けられている。
【００２６】
また、図５に示すように、エレベータ２８の上面には、可動仕切板２０の連結具２３、２３に対応する左右２個所に、三角形のブラケット３０、３０が突出して設けられており（１個のみ図示）、それらの各上端部に連結突起３１（連結部）が側方に突出して設けられている。この連結突起３１は、前側の円弧面３１ａと後ろ側のほぼ鉛直な平面３１ｂとから、側断面がかまぼこ状に形成されており、エレベータ２８が上昇時、仕切板装着部材２５を通過する際に、可動仕切板２０の連結具２３の連結部２３ａ、２３ｂ間に係合するようになっている。
【００２７】
次に、上記構成の商品搬出装置の動作を、図１〜図６を参照しながら説明する。まず、販売待機時には、図１および図４に示すように、可動仕切板２０は、その前後のガイド突起２２、２２が仕切板装着部材２５の前後の装着部２６ａ、２６ｃに係合した状態で装着されており、両仕切板部２０ａ、２０ｂが一直線状に拡開された状態で、加温室１０と冷却室１１の間を閉じている。また、エレベータ２８は、エレベータ通路１３の下部のホームポジション（図１の位置）に位置している。
【００２８】
この状態から、所要の金額のコインがコイン投入口に投入され、商品選択ボタンによって商品が選択されると、Ｙ方向駆動機構２９が作動することにより、エレベータ２８が販売すべき商品を収容する商品ラック１２の高さ付近まで上昇するとともに、これと並行してＸ方向駆動機構が作動することにより、バケットがエレベータ２８内を左右方向に移動し、上記商品ラック１２に対向する位置に停止する。次いで、その商品ラック１２のストッパ１５が開くことによって、商品が払い出され、エレベータ２８およびバケットの開放した背面を介して、バケットに商品が受け渡される。その後、Ｙ方向駆動機構２９が再び作動することにより、エレベータ２８が上記ホームポジションまで下降し、商品を取出口５に落下させ、搬出を終了する。
【００２９】
加温室１０の商品ラック１２から商品を販売する場合には、図２および図３に示すように、エレベータ２８は、仕切板装着部材２５を越えて往復動する。この場合、エレベータ２８が上昇時、仕切板装着部材２５を通過する際に、図４に示す状態から、前者２８の連結突起３１が可動仕切板２０の連結具２３の連結部２３ａ、２３ｂ間に係合することによって、可動仕切板２０がエレベータ２８に連結される。
【００３０】
エレベータ２８がさらに上昇するのに伴い、可動仕切板２０は、その前後のガイド突起２２、２２が仕切板装着部材２５の装着部２６ａ、２６ｃから抜け出て、ガイド溝２６の前後のガイド溝部２６ｂ、２６ｄに沿ってそれぞれ案内されることで、仕切板部２０ａ、２０ｂが次第に折れ曲がりながら（図２および図６参照）、仕切板装着部材２５から離脱する。この仕切板部２０ａ、２０ｂの折曲がりは、連結部２３ａ、２３ｂの係合摺動面２４ａ、２４ｂが連結突起３１の円弧面３１ａに沿って摺動することによって、円滑に行われるとともに、図５に示すように、後ろ側の仕切板部２０ｂの下面が連結突起３１の平面３１ｂに当接することによって終了する。これにより、可動仕切板２０は、折れ曲がった安定した状態でエレベータ２８に連結される。なお、図６は、図４から図５の状態に至るエレベータ２８および可動仕切板２０の一連の動作を示している。
【００３１】
図３に示すように、その後、エレベータ２８は、可動仕切板２０を連結したまま上昇し、商品ラック１２の前で停止して商品を受け取った後、取出口５に向かって下降する。そして、エレベータ２８が仕切板装着部材２５を通過する際、可動仕切板２０は、離脱時と逆の動作によって、仕切板装着部材２５に装着され、もとの閉状態に復帰する。すなわち、ガイド突起２２、２２が、ガイド溝２６のガイド溝部２６ｂ、２６ｄにそれぞれ係合し、これらに沿って案内されることで、仕切板部２０ａ、２０ｂが次第に拡開し、ガイド突起２２、２２が装着部２６ａ、２６ｃに係合することで、可動仕切板２０が仕切板装着部材２５に装着される。その後、エレベータ２８は、可動仕切板２０から外れ、可動仕切板２０を仕切板装着部材２５に置き去りにした状態で、ホームポジションまで下降し、取出口５に商品を落下させ、商品の搬出を終了する。
【００３２】
以上のように、本実施形態の商品搬出装置によれば、加温室１０の商品ラック１２から商品を販売する場合、エレベータ２８が仕切板装着部材２５を越えて往復動するとともに、この往復動の際、エレベータ２８が直接、可動仕切板２０を脱着し、開閉する。したがって、従来のような、仕切板を開閉駆動するための別個の駆動源が不要となることによって、そのためのコストおよび設置スペースを削減できる。また、エレベータ２８が直接、可動仕切板２０を開閉することは、可動仕切板２０を常に最適なタイミングで開閉できることを意味するので、その開閉に伴う加温室１０と冷却室１１の間の熱漏れ量を最小限に抑制できるとともに、開閉タイミングの調整やこれを計るための手段も不要になり、さらにコスト減を図ることができる。さらに、加温室１０の商品ラック１２から販売を行う場合でも、エレベータ２８がその商品ラックの付近まで移動して商品を受け取るので、従来のような商品の落下による変形やフォーミングを確実に防止することができる。
【００３３】
また、仕切板装着部材２５からの離脱後、可動仕切板２０が、エレベータ２８と一緒に移動するので、仕切板装着部材２５の付近の商品ラック１２からの払出の邪魔になることがなくなり、商品ラック１２を、デッドスペースを生じることなく効率的に配置することができる。また、可動仕切板２０が、装着時よりも奥行寸法の小さな折れ曲がった状態でエレベータ２８に連結され、その状態でエレベータ２８と一緒にエレベータ通路１３内を移動するので、エレベータ通路１３の奥行寸法をより小さくすることが可能になり、ひいては自動販売機のコンパクト化を図ることができる。
【００３４】
なお、本発明は、説明した実施形態に限定されることなく、様々な態様で実施することができる。例えば、実施形態では、可動仕切板２０が折れ曲がった状態で離脱し、エレベータ２８に連結される構成になっているが、エレベータ通路１３の奥行寸法をコンパクトにするという観点からは、可動仕切板は、エレベータ２８との連結時に奥行寸法が小さくなるものであればよい。例えば、可動仕切板を、エレベータ２８との連結に伴い奥行寸法が小さくなるように互いにスライドする２枚のスライド板で構成することや、連結点を重心からずらすことでエレベータ２８に斜めに傾斜した状態で連結される１枚の板で構成することも、本発明の範囲内である。
【００３５】
また、実施形態では、エレベータ２８の往復動に伴って可動仕切板２０が脱着される構成になっているが、仕切板の別個の開閉駆動源の不要化や開閉タイミングの最適化などの観点からは、可動仕切板が着脱構成とすることは必ずしも必要ではなく、往復動するエレベータで直接、開閉できるものであればよい。例えば、可動仕切板を回動自在に取り付け、これをエレベータが上昇時に跳ね上げ、下降時に復帰させるなどの構成とすることが可能である。
【００３６】
また、実施形態は、販売口５を自動販売機１の下部に配置した例であるが、これを自動販売機１の上部、すなわち実施形態の加温室１０側に配置した場合にも、本発明を同様に適用できることはもちろんである。その他、本発明の趣旨の範囲内で、細部の構成を適宜、変更することが可能である。
【００３７】
【発明の効果】
以上説明したように、本発明の自動販売機の商品搬出装置は、コストと設置スペースを削減でき、仕切板の開閉に伴う収納室間の熱漏れ量を最小限に抑制できるとともに、商品の変形やフォーミングを防止することができるなどの効果を有する。
【図面の簡単な説明】
【図１】本発明の一実施形態による商品搬出装置を備えた自動販売機の販売待機状態の側断面図である。
【図２】図１の自動販売機の、可動仕切板がエレベータにより着脱されている状態の側断面図である。
【図３】図１の自動販売機の、可動仕切板がエレベータに連結され、一緒に移動している状態の側断面図である。
【図４】可動仕切板がエレベータに連結される直前の部分拡大側面図である。
【図５】可動仕切板がエレベータに連結された後の部分拡大側面図である。
【図６】図４から図５の状態に至るエレベータおよび可動仕切板の一連の動作を示す部分拡大側面図である。
【符号の説明】
１  自動販売機
５  取出口
１０  加温室（収納室）
１１  冷却室（収納室）
１２  商品ラック
１３  エレベータ通路（搬出通路）
１４  払出口
２０  可動仕切板
２０ａ  仕切板部
２０ｂ  仕切板部
２２  ガイド突起
２３  連結具
２３ａ  連結部
２３ｂ  連結部
２５  仕切板装着部材
２６  ガイド溝
２８  エレベータ（搬出機構）
３１  連結突起（エレベータの連結部）
【図１】
0004214429.tif 000002
【図２】
0004214429.tif 000003
【図３】
0004214429.tif 000004
【図４】
0004214429.tif 000005
【図５】
0004214429.tif 000006
【図６】
0004214429.tif 000007